(57)【特許請求の範囲】
【請求項１】
照明灯が内部に設けられ長手方向の全長にわたって開口（６）が形成された略筒状のトップレール（２）と、
前記トップレール（２）の前記開口（６）の上端縁部に係止かつ枢支され、下縁部で着脱自在に固定され中央部に窓（１５）が形成されたカバー（３）と、
前記カバー（３）の窓（１５）を覆う透光性を有する透光板（４）とからなり、
前記トップレール（２）の開口（６）の上端縁部に上部が開口した作動空間（９）を形成する断面が略Ｌ字状の空間形成壁（８）を形成し、この空間形成壁（８）の上端縁から前記作動空間（９）の開口側に向かって係止部（１１）を突設するとともに、前記空間形成壁（８）の先端縁に断面円形の枢支部（１０）を一体に形成し、
前記カバー（３）の窓（１５）の上下端縁部の内側に長手方向の全長にわたって延在し前記透光板（４）の上下端部を保持する溝状の保持部（１７）を形成し、
前記カバー（３）の上端縁部に断面Ｕ字状で長手方向に延在し前記枢支部（１０）に着脱自在でかつ回動自在に係合する係合部（１８）を一体に形成するとともに、下縁部に突起（２０ａ）を一体に形成し、
前記カバー（３）の上端を前記作動空間（９）に嵌入して前記係合部（１８）を前記枢支部（１０）に係入させるとともに、前記カバー（３）の上端に設けた段部（１９）を前記係止部（１１）に前記作動空間（９）の内側から係止し、前記カバー（３）を弾性変形させて下縁部に設けた前記突起（２０ｂ）を前記トップレール（２）の下端部に設けた段部（７）の先端部に係合させ、ねじ（２１）によって前記カバー（３）の下端部を前記トップレール（２）に固定したことを特徴とする照明灯付高欄。
【請求項２】
請求項１記載の照明灯付高欄において、
トップレール（２）の内径よりもやや小さい外径を有する略円筒状に形成され、互いに隣り合う２つのトップレール間に嵌挿されることにより、これら両トップレールを連結するスリーブ（３５）を備えたことを特徴とする照明灯付高欄。
【発明の詳細な説明】
【０００１】
【発明の属する技術分野】
本発明は、陸橋や歩道等に設置されトップレールの内部に照明灯が設けられた照明灯付高欄に関する。
【０００２】
【従来の技術】
この種の照明灯付高欄としては、本出願人が提案した実公昭６３−４０５０２号公報に開示されているものが知られている。この照明灯付高欄は、照明灯が内部に設けられ長手方向の全長にわたって開口が形成された略筒状のトップレールと、このトップレールの開口に装着されるカバーおよび透光性を有する透光板とから構成されている。そして、トップレールの開口の上端縁部に断面Ｕ字状の嵌合溝が形成され、下端縁部には段付取付部が形成されており、前記嵌合溝にカバーおよび透光板の上端縁部を嵌合させ、カバーおよび透光板の下端部をねじによって前記端付取付部に固定するものである。
【０００３】
【発明が解決しようとする課題】
しかしながら上述した従来の照明付高欄においては、トップレールの開口に透光板を装着するのに、トップレールの嵌合溝内にカバーと透光板との両部材の上端縁部を同時に嵌合させ、かつカバーの側部の段付部で透光板の側部を押さえるようにした構造であるため、補修・点検時に組付け作業が煩雑になるといった問題がある。また、これらカバーおよび透光板の下端部をねじで固着するときに、これらカバーおよび透光板の上端縁部が嵌合溝から外れないように手でカバーおよび透光板を保持しながら作業しなければならないので、作業性が悪いといった問題もある。
【０００４】
本発明は上記した従来の問題に鑑みなされたものであり、その目的とするところは、組付け作業を容易にするとともに、作業性を向上させた照明付高欄を提供することにある。
【０００５】
【課題を解決するための手段】
この目的を達成するために、本発明に係る照明付き高欄は、照明灯が内部に設けられ長手方向の全長にわたって開口（６）が形成された略筒状のトップレール（２）と、前記トップレール（２）の前記開口（６）の上端縁部に係止かつ枢支され、下縁部で着脱自在に固定され中央部に窓（１５）が形成されたカバー（３）と、前記カバー（３）の窓（１５）を覆う透光性を有する透光板（４）とからなり、前記トップレール（２）の開口（６）の上端縁部に上部が開口した作動空間（９）を形成する断面が略Ｌ字状の空間形成壁（８）を形成し、この空間形成壁（８）の上端縁から前記作動空間（９）の開口側に向かって係止部（１１）を突設するとともに、前記空間形成壁（８）の先端縁に断面円形の枢支部（１０）を一体に形成し、前記カバー（３）の窓（１５）の上下端縁部の内側に長手方向の全長にわたって延在し前記透光板（４）の上下端部を保持する溝状の保持部（１７）を形成し、前記カバー（３）の上端縁部に断面Ｕ字状で長手方向に延在し前記枢支部（１０）に着脱自在でかつ回動自在に係合する係合部（１８）を一体に形成するとともに、下縁部に突起（２０ａ）を一体に形成し、前記カバー（３）の上端を前記作動空間（９）に嵌入して前記係合部（１８）を前記枢支部（１０）に係入させるとともに、前記カバー（３）の上端に設けた段部（１９）を前記係止部（１１）に前記作動空間（９）の内側から係止し、前記カバー（３）を弾性変形させて下縁部に設けた前記突起（２０ｂ）を前記トップレール（２）の下端部に設けた段部（７）の先端部に係合させ、ねじ（２１）によって前記カバー（３）の下端部を前記トップレール（２）に固定したものである。
したがって、透光板はカバーの側部からカバーの全長方向に摺動させることによりカバーの保持部に係入され、保持部に保持される。透光板が保持されたカバーはトップレールの上端縁部に枢支され、下縁部がトップレールに固定される。
また、透光板の上下端部とカバーの保持部間にシール材を介在させることにより、透光板のがたつきや内部への雨水の吹き込みが防止される。
【０００６】
【発明の実施の形態】
以下、本発明の実施の形態を図に基づいて説明する。図１は図８における  Ｉ−Ｉ線断面図、図２（ａ）は本発明に係る照明灯付高欄のトップレールの側面図、（ｂ）は要部を拡大して示す側面図、図３（ａ）は同じくカバーの断面図、（ｂ）は要部を拡大して示す断面図である。図４は同じくトップレールにカバーを組み付ける状態を示す側面図、図５は同じくカバーを組み付けた状態を示す側面図である。図６は図８におけるＶＩ−ＶＩ  線断面図、図７は本発明に係る照明灯付高欄のスリーブの側面図、図８は照明灯付高欄の正面図である。
【０００７】
図１、図４、図８において、全体を符号１で示す高欄は、長手方向の全長にわたって開口６が形成された略筒状のトップレール２と、このトップレール２の開口６の上端縁部に係止かつ枢支され中央部に窓１５が形成されたカバー３と、このカバー３の窓１５を覆う透光性の透光板４と、トップレール２内に設けられた照明灯５とから概ね構成されている。
【０００８】
図２に示すように、トップレール２の下部は平坦状に形成された段部７が形成され、この段部７の右端部は逆Ｌ字状を呈する屈曲部７ａが形成され、この屈曲部７ａには複数のねじ孔（図示せず）が設けられている。また、トップレール２の開口６側の上端縁部には、上部が開口した作動空間９を形成する断面が略Ｌ字状の空間形成壁８が突設され、この空間形成壁８の端縁には断面円形の枢支部１０がトップレール２の全長にわたって形成されている。１１はトップレール２の上端縁部から作動空間９の開口側に突設された係止部であって、この係止部１１の端縁と枢支部１０の中心までの距離Ｌ１は、空間形成壁８の枢支部１０に対向する垂直壁８ａと枢支部１０の中心までの距離Ｌ２よりも小さく形成されている。
【０００９】
図３において、カバー３は、断面が上述したトップレール２の曲率と同じ大きさの曲率をもつ円弧状に形成され、中央部に長手方向に延在する長方形状の窓１５が切り抜くことにより形成されている。この窓１５の上下端縁の内側には、断面Ｌ字状の一対の保持片１６，１６がカバー３の全長にわたって一体に形成され、これら保持片１６，１６によって透光板４の上下端部を保持する一対の溝状の保持部１７，１７がカバー３の全長にわたって形成されている。上方の保持部１７の上部側には断面Ｕ字状の係合部１８がカバー３の全長にわたって形成され、この係合部１８の内径は、上述したカバー３の枢支部１０の外径よりも僅かに大きく形成されている。この係合部１８の中心からカバー３の上端までの距離Ｌ３は、上述したＬ１よりもやや大きく、かつＬ２よりもやや小さく形成され、上端の外表面には、上述したトップレール２の係止部１１に係止される段部１９が形成されている。この段部１９の高さＴは、トップレール２の係止部１１の厚みと同じ大きさに形成されている。
【００１０】
また、カバー３の下部２０には、ねじを挿通させるための複数の挿通孔（図示せず）が形成され、下部２０の先端には、上述したトップレール２の段部７の屈曲部７ａの先端７ｂに係合する突起２０ａが形成されている。この突起２０ａと係合部１８間のカバー３の外周の長さは、図５に示すように、トップレール２の枢支部１０と段部７の屈曲部７ａの先端７ｂ間の間隔よりも僅かに短く形成されている。このカバー３と上述したトップレール２とは、共にアルミニウム合金（ＪＩＳ  ６０６３−Ｔ５）を押出形材として成形したものである。透光板４は、透光性を有するプラスチック、本実施例ではポリカーボネートによって外周面をカバー３の内周面の曲率と同じ曲率とする円弧状に形成され、その全長はカバー３の窓１５の幅よりもやや長く形成され、その高さはカバー３の一対の保持部１７，１７間の間隔よりも僅かに短く形成されている。
【００１１】
そして、この透光板４は、図３に示すように、カバー３の保持部１７，１７の側方から係入され、カバー３の全長方向に沿って摺動させることによってカバー３の窓１５を覆うように位置付けられる。透光板４の上下端部と保持片１６との間にシール材としてのゴム２２を圧入するが、これに先立って、透光板４の上下端部とカバー３の裏面との間に接着剤２３を塗付しておくことにより、透光板４をカバー３の保持部１７に固着する。次に、図４に示すように、カバー３の上端をトップレール２の作動空間９内に嵌入させ、トップレール２の枢支部１０にカバー３の係合部１８を係入させることにより、カバー３を枢支部１０に回動自在に支持させる。
【００１２】
カバー３を、枢支部１０を回動中心として図４中二点鎖線で示すように時計方向に回動させ、図５に示すようにカバー３の下端部をトップレール２の段部７の屈曲部７ａに当接させる。このとき、カバー３の上端縁の段部１９がトップレール２の係止部１１に係止され、カバー３の回動が規制されるとともに、係合部１８が枢支部１０から外れるのも規制される。また、突起２０ａと係合部１８間のカバー３の外周長が、枢支部１０と段部７の屈曲部７ａの先端７ｂ間の間隔よりも僅かに短く形成されているので、カバー３の突起２０ａは図５に実線で示すように位置付けられている。ここで、カバー３を弾性変形させて、図中二点鎖線で示すように突起２０ａを段部７の先端７ｂに係合させ、図１に示すように、ねじ２１によってカバー３の下端部をトップレール２の段部７の屈曲部７ａに固定する。
【００１３】
このように固定されたカバー３は、トップレール２の曲率と同じ曲率をもつ円弧状に形成され、かつ段部１９の高さＴが、トップレール２の係止部１１の厚みと同じ大きさに形成されているので、その外周面は、トップレール２の外周面と同一の面位置になる。したがって、カバー３の内側に形成した保持部１７に保持された透光板４は、トップレール２の外周面から突出するようなことがない。このため、外観意匠を損なうようなこともない。また、カバー３をトップレール２に組み付ける際に、既にカバー３に透光板４を組み付けているので、従来のようにカバーと透光板とを同時に組み付ける必要がなく、このため組付け作業が煩雑にならない。また、カバー３は、係合部１８を枢支部１９に回動自在に支持することにより、トップレール２に支承されるので、カバーおよび透光板を手で保持しながらの作業となっていた従来と比較して、作業性がしやすくなる。
【００１４】
このように組み付けられた高欄１は、図１に示すように、支柱ないし手摺子２７上に断面がコ字状の天板２５がねじ２８によって固定され、この天板２５上にトップレール２の段部７がねじ２６によって固定されることにより、天板２５を介して支柱２７に固定される。照明灯５は、天板２５にトップレール２を固定したねじ２６によって段部７に共締めされたブラケット２９を介してトップレール２の内部に固定されている。
【００１５】
このトップレール２は全長方向に複数個連結され、隣接するトップレール２は、図６に示すように、スリーブスリーブ３５を介して連結されている。すなわち、図７において、スリーブ３５は、トップレール２の内径よりもやや小さい外径を有する略円筒状に形成され、下方中央部にはねじ孔（図示せず）が設けられた平坦状の取付座３６が形成され、上方右部には凹部３７が形成されている。このように形成されたスリーブ３５は、図８に示すように、隣接するトップレール２，２間にまたがり、しかも図６に示すように、トップレール２内に嵌装され、ねじ４０によって段部７が取付座３６に固定されることにより、隣接する高欄１，１を連結する。
【００１６】
【発明の効果】
以上説明したように本発明によれば、組付け作業が煩雑にならないとともに、作業性が向上する。このため、補修・修理が容易に行えるとともに、外観意匠を損なうようなこともない。
【００１７】
また、第３の発明によれば、製造が容易になるとともに製造コストが削減される。
【００１８】
また、第４の発明によれば、透光板にがたつきや内部への雨水の吹き込みが防止される。
【図面の簡単な説明】
【図１】図８における  Ｉ−Ｉ線断面図である。
【図２】（ａ）は本発明に係る照明灯付高欄のトップレールの側面図、（ｂ）は要部を拡大した側面図である。
【図３】（ａ）は本発明に係る照明灯付高欄のカバーの断面図、（ｂ）は要部を拡大して示す断面図である。
【図４】本発明に係る照明付高欄おいてトップレールにカバーを組み付ける状態を示す側面図である。
【図５】本発明に係る照明付高欄おいてカバーを組み付けた状態を示す側面図である。
【図６】図８におけるＶＩ−ＶＩ  線断面図である。
【図７】本発明に係る照明灯付高欄におけるスリーブの側面図である。
【図８】本発明に係る照明灯付高欄の正面図である。
【符号の説明】
１…照明付高欄、２…トップレール、３…カバー、４…透光板、５…照明灯、６…開口、１０…枢支部、１１…係止部、１５…窓、１７…保持部、１８…係合部。
【図１】
0003572891.tif 000002
【図２】
0003572891.tif 000003
【図３】
0003572891.tif 000004
【図５】
0003572891.tif 000005
【図４】
0003572891.tif 000006
【図６】
0003572891.tif 000007
【図７】
0003572891.tif 000008
【図８】
0003572891.tif 000009